(57)【要約】【課題】二次巻線用の絡げ端子部分における断線の発生を低減可能な構造を備えた多出力型のインバータトランスを提供する。【解決手段】本発明に係るインバータトランス１は、コア２と、ボビン１０とを備え、一次巻線２０および二次巻線２１が巻回されたボビン１０を、コア２の脚部に装着したインバータトランス１において、ボビン１０の端子台１２Ａ、１２Ｂの端面４１に、二次巻線絡げ端子１８ｂ、１８ｅ、１８ｈが植設される切欠部１９が設けられ、二字巻線絡げ端子１８ｂ、１８ｅ、１８ｈの先端は、端子台１２Ａ、１２Ｂの端面４１と略同面かまたは端面４１よりも内側に位置するとともに、コア２の切欠部１９上に配置される連結部２ｆの端面４０は、二次巻線絡げ端子１８ｂ、１８ｅ、１８ｈの先端と略同面かまたはその先端よりも外側に位置することを特徴とする。【選択図】図１
2008205109.tif 000002
【特許請求の範囲】
【請求項１】
複数個の脚部を有するコアと、巻芯部および該巻芯部の両端に設けられた端子台を有するボビンとを備え、前記巻芯部に一次巻線および二次巻線が巻回された複数個の前記ボビンを、前記コアの複数個の脚部にそれぞれ装着したインバータトランスにおいて、
前記ボビンの端子台の端面に、二次巻線絡げ端子が植設される切欠部が設けられ、前記二次巻線絡げ端子の先端は、前記端子台の前記端面と略同面か、または、該端面よりも内側に位置するとともに、前記コアの一部は前記切欠部上に配置され、該コアの一部の前記二次巻線絡げ端子の延長方向に略直交する端面は、前記二次巻線絡げ端子の先端と略同面か、または、該先端よりも外側に位置することを特徴とするインバータトランス。
【請求項２】
前記ボビンの前記巻芯部は、該巻芯部の一端側から他端側に向けて第１の巻芯部、前記一次巻線を巻装するための第２の巻芯部、及び前記二次巻線を巻装するための第３の巻芯部を備え、前記巻芯部の前記一端側の前記端子台には第１の溝が設けられ、前記第２の巻芯部にはその底面が第１の巻芯部の外周面と略同面である第２の溝が設けられ、前記巻芯部の前記他端側の前記端子台には第３の溝が設けられており、前記二次巻線は、前記第１の溝により前記一端側の端子台に植設された前記二次巻線絡げ端子から前記第１の巻芯部に案内され、前記第１の巻芯部に１ターン巻回された後、前記第２の溝により前記第３の巻芯部に案内されることを特徴とする請求項１に記載のインバータトランス。
【請求項３】
前記ボビンは、前記第１の巻芯部と前記第２の巻芯部とを隔てる第１のフランジを備えており、該第１のフランジには溝が設けられ、該溝は、前記巻芯部の外周表面側から狭幅部と広幅部の二段階に変化する溝幅を有することを特徴とする請求項２に記載のインバータトランス。
【請求項４】
前記ボビンの前記端子台に設けられる前記第１の溝及び前記第３の溝は、その断面形状が前記端子台の表面から溝幅が狭くなる台形型を有していることを特徴とする請求項２または３に記載のインバータトランス。
【請求項５】
前記インバータトランスは、リーケージトランスであることを特徴とする請求項１から４のいずれか１項に記載のインバータトランス。
【発明の詳細な説明】
【技術分野】
【０００１】
本発明は液晶表示装置のバックライト装置の光源である放電灯を点灯させるインバータに用いられるトランスに関し、特に、複数の放電灯を点灯させるために複数の出力を取り出すことができる多灯用のインバータトランスに関する。
【背景技術】
【０００２】
テレビジョン、パーソナルコンピュータなどの電子機器に用いられる液晶ディスプレイ装置は液晶が非発光のため、バックライト装置のような照明装置を必要とする。このバックライト装置の光源には放電灯が用いられており、そのような放電灯として冷陰極蛍光管が一般に用いられている。近年、液晶ディスプレイ装置の大型化に伴い、液晶テレビジョン装置等の大型の液晶ディスプレイ装置では、高輝度の表示を必要とするため、バックライト装置の光源には複数本の冷陰極蛍光管が用いられている。冷陰極蛍光管を点灯するには高電圧が必要であるため、インバータ回路のスイッチング部にて高周波電圧を発生させ、インバータトランスで昇圧して点灯に必要な高電圧を得て冷陰極蛍光管に印加している。
【０００３】
インバータトランスは、通常、外周に一次巻線及び二次巻線が巻回されたボビンと、ボビン内に挿通される脚部を有するコアとを備えており、各巻線は、ボビンに植設された端子ピンを介してプリント基板等に設けられた外部回路との導通が図られている。従来、このようなインバータトランスでは、巻線の断線等を防止するために、端子ピンをＬ字状またはコ字状に形成し、Ｌ字またはコ字を構成する腕の一つを巻線絡げ用の端子とし、別の一つを基板への取付用の端子として分けて使用する構造が取られることが多い（例えば、特許文献１参照）。
【０００４】
【特許文献１】特開２００６−３０３３０４号公報（図１〜図３）
【発明の開示】
【発明が解決しようとする課題】
【０００５】
しかしながら、特許文献１に記載されているような構造では、端子ピンの巻線絡げ用端子が、ボビンの端面から外側に突出する構造となっているため、外部からのストレスが加わり易く、そのストレスによる屈曲等により巻線の断線が発生するという問題がある。これは、特に、一次巻線と比較して線径の小さな極細線が使用されるため断線が発生し易い二次巻線の場合に大きな問題となる。
【０００６】
本発明は、上記課題に鑑み、二次巻線用の絡げ端子部分における断線の発生を低減可能な構造を備えた多出力型のインバータトランスを提供することを目的とする。
【課題を解決するための手段】
【０００７】
以下に、本願において特許請求が可能と認識されている発明（以下、「請求可能発明」という）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組み合わせを、以下の各項に記載されたものに限定する趣旨ではない。
つまり、請求可能発明は、各項に付随する記載、実施形態の記載等を参酌して解釈されるべきであり、その解釈に従う限りにおいて、各項の態様にさらに他の構成要素を付加した態様も、また、各項の態様から構成要素を削除した態様も、請求可能発明の一態様となり得るものである。なお、以下の各項において、（１）項が請求項１に、（５）項が請求項２に、（７）項が請求項３に、（８）項が請求項４に、（９）項が請求項５に、各々相当する。
【０００８】
（１）複数個の脚部を有するコアと、巻芯部および該巻芯部の両端に設けられた端子台を有するボビンとを備え、前記巻芯部に一次巻線および二次巻線が巻回された複数個の前記ボビンを、前記コアの複数個の脚部にそれぞれ装着したインバータトランスにおいて、
前記ボビンの端子台の端面に、二次巻線絡げ端子が植設される切欠部が設けられ、前記二次巻線絡げ端子の先端は、前記端子台の前記端面と略同面か、または、該端面よりも内側に位置するとともに、前記コアの一部は前記切欠部上に配置され、該コアの一部の前記二次巻線絡げ端子の延長方向に略直交する端面は、前記二次巻線絡げ端子の先端と略同面か、または、該先端よりも外側に位置することを特徴とするインバータトランス。
【０００９】
本項のインバータトランスによれば、二次巻線絡げ端子を端子台の端面から実質的に突出させることなく切欠部内に収容し、かつ、コアの切欠部上に配置される部分により二次巻線絡げ端子の上方を覆うことにより、二次巻線絡げ端子に外部からのストレス等がかかるおそれが大幅に低減するため、二次巻線絡げ端子部分における断線の発生を防止することができる。
【００１０】
尚、上記（１）に記載された「略同面」という用語は、上記（１）に記載のインバータトランスが、一般的な製造公差の範囲内において、二次巻線絡げ端子の先端が端子台およびコアのいずれか一方または両方の該当する端面の外側に位置する場合を含むことを意味するものであり、上述の「実質的に突出させることなく」も同様の趣旨で記載するものである。
【００１１】
（２）好ましくは、上記（１）に記載されたインバータトランスにおいて、前記二次巻線絡げ端子の先端は、前記端子台の、前記二次巻線絡げ端子の延長方向に略直交する端面と略同面に位置するとともに、前記コアの前記切欠部上に配置される一部の、前記二次巻線絡げ端子の延長方向に略直交する端面と略同面に位置するものである。
本項のインバータトランスによれば、二次巻線絡げ端子のために二次巻線の絡げのために十分な長さを確保しつつ、二次巻線絡げ端子を端子台の端面から実質的に突出させることなく切欠部内に収容するとともに、コアの切欠部上に配置される部分により二次巻線絡げ端子の上方を覆う構成を、最小限のスペースにより実現することが可能となる。
【００１２】
（３）好ましくは、上記（１）及び（２）に記載されたインバータトランスにおいて、前記ボビンの端子台には、別の前記ボビンの端子台との係合手段が設けられており、複数個の前記ボビンを前記コアの複数個の脚部にそれぞれ装着する際に、隣接する前記ボビン同士が前記係合手段により連結されるものである。
本項のインバータトランスによれば、複数個のボビンが無駄なく配列された省スペース構造の多出力インバータトランスを実現することが可能となる。
【００１３】
（４）好ましくは、上記（３）に記載されたインバータトランスにおいて、前記ボビンの前記端子台は、該端子台と一体に形成された延設部を備えており、前記係合手段は、前記延設部に設けられるものである。
本項のインバータトランスによれば、連結されるボビン間に延設部により適切な絶縁距離を形成することが可能となり、高い絶縁信頼性を保持しつつ多数のボビンをスペースの無駄なく配列することが可能となる。
【００１４】
（５）上記（１）〜（４）に記載されたインバータトランスにおいて、前記ボビンの前記巻芯部は、該巻芯部の一端側から他端側に向けて第１の巻芯部、前記一次巻線を巻装するための第２の巻芯部、及び前記二次巻線を巻装するための第３の巻芯部を備え、前記巻芯部の前記一端側の前記端子台には第１の溝が設けられ、前記第２の巻芯部にはその底面が第１の巻芯部の外周面と略同面である第２の溝が設けられ、前記巻芯部の前記他端側の前記端子台には第３の溝が設けられており、前記二次巻線は、前記第１の溝により前記一端側の端子台に植設された前記二次巻線絡げ端子から前記第１の巻芯部に案内され、前記第１の巻芯部に１ターン巻回された後、前記第２の溝により前記第３の巻芯部に案内されることを特徴とするインバータトランス。
本項のインバータトランスによれば、第１の溝から引出された二次巻線を、第１の巻芯部に１ターン巻回することによって、二次巻線を第１の巻芯部に密着することができ、第１の巻芯部の外周面と第２の溝の底面とを略同面とすることで、二次巻線を容易かつ確実に第２の溝内に収納することができ、二次巻線の上に巻回される一次巻線による二次巻線への加圧ストレスを無くすことができるため、品質が向上する。
尚、上記（５）に記載された「略同面」という用語は、上記（５）に記載のボビンが、一般的な製造公差の範囲内において、第１の巻芯部の外周面および第２の溝のいずれか一方がわずかの段差を生じる場合を含むことを意味するものであり、実質的には同一面であるという様な趣旨で記載するものである。
【００１５】
（６）好ましくは、上記（５）に記載されたインバータトランスにおいて、前記二次巻線は、前記第３の巻芯部に所定巻数だけ巻回された後、前記第３の溝により前記他端側の前記端子台に植設された前記二次巻線絡げ端子に案内されるものである。
本項のインバータトランスによれば、低背かつ小型のインバータトランスにおいて、二次巻線の両端の端子間の絶縁性を高めて安全に駆動することができる。
【００１６】
（７）上記（５）及び（６）に記載されたインバータトランスにおいて、前記ボビンは、前記第１の巻芯部と前記第２の巻芯部とを隔てる第１のフランジを備えており、該第１のフランジには溝が設けられ、該溝は、前記巻芯部の外周表面側から狭幅部と広幅部の二段階に変化する溝幅を有することを特徴とするインバータトランス。
本項のインバータトランスによれば、二次巻線を溝の狭幅部に保持するとともに、一次巻線を、二次巻線に接触させることなく溝の広幅部に保持することができる。
【００１７】
（８）上記（５）〜（７）に記載されたインバータトランスにおいて、前記ボビンの前記端子台に設けられる前記第１の溝及び前記第３の溝は、その断面形状が前記端子台の表面から溝幅が狭くなる台形型を有していることを特徴とするインバータトランス。
本項のインバータトランスによれば、二次巻線を容易かつ確実に第１の溝及び第３の溝に収納することができる。
【００１８】
（９）上記（１）〜（８）に記載されたインバータトランスにおいて、前記インバータトランスがリーケージトランスであることを特徴とするインバータトランス。
本項のインバータトランスによれば、インバータトランスの二次側に接続された冷陰極蛍光管等を点灯させる際に、インバータトランスのリーケージインダクタンスをバラストとして機能させることができる。
【発明の効果】
【００１９】
本発明は、以上のように構成したため、二次巻線用の絡げ端子部分における断線の発生を低減可能な、小型かつ信頼性の高いインバータトランスを提供することができる。
【発明を実施するための最良の形態】
【００２０】
以下、本発明の実施の形態について、添付図面に基づいて説明する。
図１および図２に示すように、本実施形態におけるインバータトランス１は、例えばＮｉ−Ｚｎフェライトからなり、５本の脚部２ａ〜２ｅを有する２つのＥ型コア２、２と、例えば液晶ポリマー等の合成樹脂により略矩形の筒状に成形された２つボビン１０、１０と、ボビン１０、１０に巻回された一次巻線２０および二次巻線２１とから構成された、２出力型のインバータトランスである。コア２、２は、それぞれの中脚部２ｂ、２ｄがボビン１０、１０に挿入され、コア２、２の対向面を突き合わせて接合することにより、一体のＥＥ型コアを構成するものである。
【００２１】
ここで、主として図３及び図４を参照して、本実施形態におけるボビン１０の構成を説明する。ボビン１０は、巻芯部１３と、その両端に巻芯部１３と一体に形成された端子台１２Ａ、１２Ｂとを備えており、端子台１２Ａ、１２Ｂは、巻芯部１３との境界部分に、それぞれフランジ１４、１５を有している。また、巻芯部１３は、一端側の端子台１２Ａから他端側の端子台１２Ｂに向けて、第１の巻芯部１３Ａ、第２の巻芯部１３Ｂ、第３の巻芯部１３Ｃに分離されており、第１の巻芯部１３Ａと第２の巻芯部１３Ｂとの境界には第１のフランジ１６が設けられ、第２の巻芯部１３Ｂと第３の巻芯部１３Ｃは、７つの第２のフランジ１７ａ〜１７ｇの内の１つのフランジ１７ａによって分離されるとともに、第３の巻線部１３Ｃは、残りの第２のフランジ１７ｂ〜１７ｇにより、７つのセクションに分割されている。インバータトランス１において、一次巻線２０は、第２の巻芯部１３Ｂの外周面に巻装され、二次巻線２１は、第３の巻芯部１３Ｃの外周面に巻装されて、巻芯部１３の中心軸方向に直列に配列されている。
【００２２】
ボビン１０において、その一端側（第１の巻芯部１３Ａ側）の端子台１２Ａには端子ピン１８ａ〜１８ｄが植設され、他端側（第３の巻芯部１３Ｃ側）の端子台１２Ｂには、端子ピン１８ｅ〜１８ｈが植設されている。端子ピン１８ａ、１８ｄは一次巻線２０用の端子ピン、端子ピン１８ｂ、１８ｃ、１８ｅ〜１８ｈは二次巻線２１用の端子ピンであり、端子ピン１８ｂ、１８ｃはＧＮＤに接続するものである。また、端子ピン１８ｂと１８ｃ、端子ピン１８ｅと１８ｆ、端子ピン１８ｇと１７ｈは、略Ｊ次状に形成された一体の端子部により構成されており、それぞれ、一方の端子ピン１８ｂ、１８ｅ、１８ｈが二次巻線絡げ端子として用いられ、他方の端子ピン１８ｃ、１８ｆ、１８ｇがプリント基板接続端子として用いられる。本実施形態における二次巻線絡げ端子である端子ピン（以下、二次巻線絡げ端子と記す）１８ｂ、１８ｅ、１８ｈは、それぞれの端子台１２Ａ、１２Ｂの、二次巻線絡げ端子１８ｂ、１８ｅ、１８ｈの延長方向に直交する端面４１から窪んだ切欠部１９から延出するように植設されており、二次巻線絡げ端子１８ｂ、１８ｅ、１８ｈの長さ及び切欠部１９の深さは、二次巻線絡げ端子１８ｂ、１８ｅ、１８ｈの先端が端面４１と略同面となるように設定されている。
【００２３】
また、ボビン１０において、端子台１２Ａの底面側には、一次巻線２０用の案内溝２２、２２と二次巻線２１用の案内溝（第１の溝）２３が形成され、端子部１２Ｂの底面側には、二次巻線用の２本の案内溝（第３の溝）２８、２９が形成されている。また、第１のフランジ１６には、互いに離隔して形成された２箇所のフランジ溝２６ａ、２６ｂが形成され、第２のフランジの内の１つのフランジ１７ａには、第１のフランジ１６に形成されたフランジ溝２６ａ、２６ｂにそれぞれ対向する位置に、フランジ溝２７ａ、２７ｂが形成されている。そして、第２の巻芯部１３Ｂの外周面には、フランジ溝２６ａ及びフランジ溝２７ｂに連続する直線状の案内溝（第２の溝）２４と、フランジ溝２６ｂ及びフランジ溝２７ａに連続する直線状の案内溝（第２の溝）２５が、互いに交差するように形成されている。
【００２４】
ここで、第１のフランジ１６に形成されたフランジ溝２６ａ、２６ｂは、図４に示すように、巻芯部１３の外周表面側から狭幅部３０と広幅部３１の二段階に変化する溝幅を有しており、狭幅部３０の溝幅は二次巻線２１を構成する線材の線径よりも僅かに大きく、かつ、一次巻線２０を構成する線材の線径よりも小さく設定され、広幅部３１の溝幅は、一次巻線２０を構成する線材の線径よりも僅かに大きく設定されている。また、端子台１２Ａ、１２Ｂに形成された案内溝２３、２８、２９は、その断面形状が端子台１２Ａ、１２Ｂの底面から溝幅が狭くなる台形型を有しており（図３の側面図参照）、その台形の上底に相当する溝底面の幅寸法は、二次巻線２１を構成する線材の線径よりも僅かに大きく設定されている。
【００２５】
また、ボビン１０には、端子台１２Ａ、１２Ｂの側面側に、隣接するボビン１０、１０同士の適切な絶縁距離を形成する延設部３５、３６が、端子台１２Ａ、１２Ｂと一体に形成されており、さらに、端子台１２Ａの一方の延設部３５と端子台１２Ｂの他方の延設部３６には凹部３７が形成され、端子台１２Ａの他方の延設部３６と端子台１２Ｂの一方の延設部３５には、凹部３７に係合する突起部３８が形成されており、これらの凹部３７及び突起部３８が、隣接するボビン１０、１０同士を連結する係合手段として機能するものである。
【００２６】
次に、主として図５および図６を参照して、ボビン１０に巻線を巻装する手順を説明する。まず、二次巻線２１を端子台１２Ｂ側から見て時計回り（ＣＷ）に巻回することによって第３の巻芯部１３Ｃに巻装する場合、図５（ａ）に示すように、二次巻線２１用の線材の巻き始めの先端部を二次巻線絡げ端子１８ｂに絡げた後、案内溝２３に収納することにより第１の巻芯部１３Ａに向けて案内する。次いで、第１の巻芯部１３Ａにおいて時計回りに１ターン巻回し、フランジ溝２６ｂの狭幅部３０に保持させて第１のフランジ１６を通過させた後、案内溝２５に収納することにより第３の巻芯部１３ｃに向けて案内する。次いで、フランジ溝２７ａに保持させて第２のフランジの内の１つのフランジ１７ａを通過させた後、第３の巻芯部１３Ｃに所定巻数だけ時計回りに巻回する。次いで、案内溝２９に収納させて二次巻線絡げ端子１８ｅに案内し、この線材の巻き終わりの先端部を二次巻線絡げ端子１８ｅに絡げる。
【００２７】
同様に、二次巻線２１を反時計回り（ＣＣＷ）に巻回することによって第３の巻芯部１３ｃに巻装する場合、図５（ｂ）に示すように、二次巻線２１用の線材の巻き始めの先端部を二次巻線絡げ端子１８ｂに絡げた後、案内溝２３に収納することにより第１の巻芯部１３Ａに向けて案内する。次いで、第１の巻芯部において反時計回りに１ターン巻回し、フランジ溝２６ａの狭幅部３０に保持させて第１のフランジ１６を通過させた後、案内溝２４に収納することにより第３の巻芯部１３Ｃに向けて案内する。次いで、フランジ溝２７ｂに保持させて第２のフランジの内の１つのフランジ１７ａを通過させた後、第３の巻芯部１３Ｃに所定巻数だけ反時計回りに巻回する。次いで、案内溝２８に収納させて二次巻線絡げ端子１８ｈに案内し、この線材の巻き終わりの先端部を二次巻線絡げ端子１８ｈに絡げる。
【００２８】
そして、図示は省略するが、一次巻線２０は、一次巻線２０用の線材の巻き始めの先端部を端子台１２Ａに植設された一方の端子ピン（例えば、１８ｄ）に絡げた後、その端子ピンに近接する一方の案内溝２２に収納し、次いで、その案内溝２２に近接する一方のフランジ溝（例えば、２６ａ）の広幅部３１に保持させて第１のフランジ１６を通過させて、第２の巻芯部１３Ｂに案内する。次いで、第２の巻芯部１３Ｂに所定の巻数だけ巻回した後、他方のフランジ溝（例えば、２６ｂ）の広幅部３１に保持させて第１のフランジ１６を通過させ、他方の案内溝２２により他方の端子ピン（例えば、１８ａ）に案内して、この線材の巻き終わりの先端部を端子ピン１８ａに絡げる。このような巻装の結果、一次巻線２０及び二次巻線２１は、図６に示すような回路を構成するものでる。
【００２９】
なお、このように、本実施形態におけるインバータトランス１では、二次巻線２１の巻回方向を容易に反転して、二次側に生じる電圧の所望の極性を得ることが可能であり、例えば、２個のボビン１０、１０を隣接させてなるインバータトランス１において、それぞれの二次巻線２１、２１に生じる電圧を互いに同極性あるいは逆極性の電圧とすることが可能である。
【００３０】
次いで、ボビン１０、１０を凹部３７、突起部３８により連結して、Ｅ型コア２、２を、それぞれの中央脚２ｂ、２ｄをボビン１０の巻芯部１３に挿通しつつ、それぞれ端子台１２Ａ、１２Ｂ上に載置し、２つのコア２、２の対向面を突き合わせて接合することにより、インバータトランス１が完成する。
【００３１】
この際、本実施形態では、コア２、２の５本の脚部２ａ〜２ｅに略直交する方向に延在する連結部２ｆの幅寸法ｗ２と、ボビン１０の端子台１２Ａ、１２Ｂの、連結部２ｆが載置される上面の幅寸法ｗ１と略同一となるように設定されており（図２参照）、これによって、端子台１２Ａ、１２Ｂに設けられた切欠部１９を上方から覆うものである。したがって、切欠部１９から延出するように植設され、先端が端子台１２Ａ、１２Ｂの端面４１と略同面となるように設定されている二次巻線絡げ端子１８ｂ、１８ｅ、１８ｈも、コア２、２の連結部２ｆ、２ｆによって上方から覆われるものである。
【００３２】
以上、本発明の好適な実施形態について説明したが、インバータトランスの上述した実施形態に限定されるものではなく、発明の趣旨の範囲で種々の変更が可能である。例えば、二次巻線絡げ端子１８ｂ、１８ｅ、１８ｈの先端は、端子台１２Ａ、１２Ｂの端面４１よりも内側（巻芯部１３側）に位置するものであってもよい。および／または、コア２、２の連結部２ｆ、２ｆは、二次巻線絡げ端子１８ｂ、１８ｅ、１８ｈの延長方向に直交する端面４０が、二次巻線絡げ端子１８ｂ、１８ｅ、１８ｈの先端の外側に位置するものであってもよい。
以上の様に構成されたインバータトランス１は、プリント基板に実装された状態では、二次巻線絡げ端子１８ｂ、１８ｅ、１８ｈがそれぞれ、左右方向は端子台１２Ａ、１２Ｂに、上方はコア２の連結部２ｆに、下方はプリント基板に覆われ、端子ピン１８ａ、１８ｃ、１８ｄ、１８ｆ、１８ｇが延設する方向のみが開放されているため、外部からの応力を受けにくく、断線が起き難いという効果を奏するものである。
【００３３】
また、本発明に係るインバータトランスにおいて、コア形状は、例えば、ロ字形のコアと、ロ字形のコアの内側に配置する複数のＩ形状の内側コアを用いるものであてもよく、または、Ｉ字形コアとＥ字形コア状から構成してもよい。さらに、本発明に係るインバータトランスは、インバータトランスの外径寸法が許容できる範囲である限り、使用するボビンの個数には限定されないものである。例えば、４個のボビンを装着した構成のインバータトランス、または、６個のボビンを装着した構成のインバータトランスでもよい。
【図面の簡単な説明】
【００３４】
【図１】本発明の一実施形態におけるインバータトランスの構成を示すであり、上段から上面図、正面図及び左右側面図、並びに下面図である。
【図２】図１に示すインバータトランスを構造を示す分解上面図である。
【図３】図１に示すインバータトランスで使用されるボビンの構成を示す図であり、上端から上面図、正面図および左右側面図、並びに下面図である。
【図４】図１に示すインバータトランスの第１のフランジの構成を示す断面図である。
【図５】図１に示すインバータトランスの二次巻線の巻回態様を示す図である。
【図６】図１に示すインバータトランスの巻回態様を、回路図として示す図である。
【符号の説明】
【００３５】
１：インバータトランス、
２：コア、２ａ〜２ｅ：脚部、２ｆ：連結部、
１０：ボビン、
１２Ａ，１２Ｂ：端子台、
１３：巻芯部、１３Ａ：第１の巻芯部、１３Ｂ：第２の巻芯部、１３Ｃ：第３の巻芯部、
１４，１５：フランジ、
１６：第１のフランジ、
１７（１７ａ〜１７ｇ）：第２のフランジ、
１８ａ，１８ｃ，１８ｄ，１８ｆ，１８ｇ：端子ピン（プリント基板接続端子）、
１８ｂ，１８ｅ，１８ｈ：端子ピン（二次巻線絡げ端子）、
１９：切欠部、
２０：一次巻線、２１：二次巻線、
２２：案内溝、２３：案内溝（第１の溝）、２４，２５：案内溝（第２の溝）、
２６ａ，２６ｂ，２７ａ，２７ｂ：フランジ溝
２８，２９：案内溝（第３の溝）、
３０：狭幅部、３１：広幅部、
３５，３６：延設部、
３７：凹部、
３８：突起部、
４０：（コアの）端面、４１：（端子台の）端面
【図１】
2008205109.tif 000003
【図２】
2008205109.tif 000004
【図３】
2008205109.tif 000005
【図４】
2008205109.tif 000006
【図５】
2008205109.tif 000007
【図６】
2008205109.tif 000008